(57)【要約】      （修正有）【課題】情報記録カセットが蓋開放手段と接触したときに曲げ補強部にも接触して情報記録カセットの挿入を阻止するようにした。【解決手段】テープカセット１００が着脱可能に装着されるカセットホルダ３と、カセット出入口の両側に配置される一対のリンク連結体を有し、その一対のリンク連結体でカセットホルダ３を両側から移動可能に支持するホルダ支持機構に関する。ホルダ支持機構には、テープカセット１００の上面に対向するように配置されて一対のリンク連結体間を連結する板体からなる連結部１９を設け、その連結部１９には、ストッパ片に対向する部分を含み、且つ奥側部分をテープカセット側に折り曲げることによって曲げ補強部２０を設け、テープカセットがストッパ片と接触したときに曲げ補強部にも接触してテープカセットの挿入を阻止するようにした。【選択図】図１７
2006185502.tif 000002
【特許請求の範囲】
【請求項１】
情報記録媒体が収納された情報記録カセットが着脱可能に装着されるカセットホルダと、
前記カセットホルダの前記情報記録カセットが出し入れされるカセット出入口の両側に配置される一対のリンク部材を有し、当該一対のリンク部材で前記カセットホルダを両側から移動可能に支持するホルダ支持機構と、
前記ホルダ支持機構を姿勢変更可能に支持するシャーシと、
前記カセットホルダに設けられ、前記情報記録カセットの装着時に当該情報記録カセットの蓋体を開放して収納されている情報記録媒体の一部を露出させる蓋開放手段と、を備えたカセット装着装置において、
前記ホルダ支持機構には、前記情報記録カセットの上面に対向するように配置されて前記一対のリンク部材間を連結する板体からなる連結部材を設け、当該連結部材には、前記蓋開放手段に対向する部分を含み且つ前記情報記録カセットが出し入れされる方向の奥側部分を情報記録カセット側に折り曲げることによって曲げ補強部を設け、
前記情報記録カセットを異常な姿勢で挿入した場合に、当該情報記録カセットが前記蓋開放手段と接触したときに前記曲げ補強部にも接触して当該情報記録カセットの挿入を阻止するようにしたことを特徴とするカセット装着装置。
【請求項２】
前記一対のリンク部材は、２本のリンクを交差させてその交差部を回動自在に連結したリンク連結体の２組からなり、前記２組のリンク連結体のそれぞれ一方のリンクと前記連結部材とを、１つの細長い板材をコ字状に折り曲げることによって一体に形成したことを特徴とする請求項１記載のカセット装着装置。
【請求項３】
前記連結部材は、前記情報記録カセットを前記カセットホルダに装着したときに、当該情報記録カセットの最も高い部分よりも低い位置に配置されるようにしたことを特徴とする請求項１記載のカセット装着装置。
【請求項４】
前記一対のリンク部材のうち、少なくとも一方のリンク部材の一方のリンクにはフック部を設け、前記情報記録カセットに収納された情報記録媒体に対して情報信号の記録及び/又は再生が行われる所定位置に前記カセットホルダが移動したときに前記フック部が係合されるフック受部を前記シャーシ又は当該シャーシに固定されたシャーシ側部材に設けたことを特徴とする請求項２記載のカセット装着装置。
【請求項５】
情報記録媒体が収納された情報記録カセットが着脱可能に装着される第１の位置と、前記情報記録カセットに収納された情報記録媒体に対して情報信号の記録及び/又は再生が行われる第２の位置との間に当該情報記録カセットを移動させるカセット装着装置を備えた情報記録及び／又は再生装置において、
前記カセット装着装置は、前記情報記録カセットが着脱可能に装着されるカセットホルダと、前記カセットホルダの前記情報記録カセットが出し入れされるカセット出入口の両側に配置される一対のリンク部材を有し、当該一対のリンク部材で前記カセットホルダを両側から移動可能に支持するホルダ支持機構と、前記ホルダ支持機構を姿勢変更可能に支持するシャーシと、前記カセットホルダに設けられ、前記情報記録カセットの装着時に当該情報記録カセットの蓋体を開放して収納されている情報記録媒体の一部を露出させる蓋開放手段と、を具え、
前記ホルダ支持機構には、前記情報記録カセットの上面に対向するように配置されて前記一対のリンク部材間を連結する板体からなる連結部材を設け、当該連結部材には、前記蓋開放手段に対向する部分を含み且つ前記情報記録カセットが出し入れされる方向の奥側部分を情報記録カセット側に折り曲げることによって曲げ補強部を設け、
前記情報記録カセットを異常な姿勢で挿入した場合に、当該情報記録カセットが前記蓋開放手段と接触したときに前記曲げ補強部にも接触して当該情報記録カセットの挿入を阻止するようにしたことを特徴とする情報記録及び／又は再生装置。
【発明の詳細な説明】
【技術分野】
【０００１】
本発明は、情報記録媒体がカセット筐体内に収納されたテープカセット等の記録媒体カセットを保持して所定位置に搬送するカセット装着装置、並びに、そのカセット装着装置を備えたカメラ一体型ビデオテープレコーダ（カメラ一体型ＶＴＲ）、デジタルビデオカメラレコーダその他の電子機器に使用される情報記録及び／又は再生装置に関するものである。
【背景技術】
【０００２】
従来の、この種のカセット装着装置としては、例えば、特許文献１に記載されているようなものがある。特許文献１には、カセット装着装置並びに情報記録及び／又は再生装置に関するものが記載されている。この特許文献１に記載されたカセット装着装置は、「４つの面部で囲うことにより四角形の枠体に形成されると共に情報記録媒体が収納された情報記録カセットが着脱可能に装着されるカセットホルダと、上記カセットホルダを移動可能に支持するホルダ支持機構と、を備え、上記カセットホルダの、上記情報記録媒体に対して情報信号の記録及び／又は再生を行う記録及び／又は再生機構が臨む下面部と当該下面部に連続する少なくとも一方の側面部とが連続する角部又は当該角部の近傍に、上記情報記録カセットが挿入される方向に延びるスリットを設けて一部を切り離した」ことを特徴としている。
【０００３】
このような構成を有するカセット装着装置によれば、「下面部と側面部とが連続する角部又はその角部近傍の剛性を低くして側面部から下面部に加えられる力がそのまま直接的に伝達されるのを防止することができる。その結果、カセットホルダの下面部における幅狭部分に高い応力が発生するのを緩和することができ、下面部における応力の最大値を低くして許容応力に対するマージンを向上させ、カセットホルダの実質的な強度を高めることができる」等の効果が期待される。
【０００４】
この特許文献１に記載されたカセット装着装置において、カセットテープが装着されるカセットホルダは、挿入されるカセットテープの上面を覆う上面部と、そのカセットテープの下面を支える下面部と、この下面部の両側に連続して設けられ且つカセットテープの側面をそれぞれ覆う左右の側面部とを有している。これら上面部、下面部及び左右の側面部によって囲まれた四面と直交する方向に開口された一方の開口部が、カセットテープが出し入れされるカセット挿入口となっている。カセットホルダの上面部は、側面部等とは別部材によって形成された板体からなり、その上面部が左右の側面部間に掛け渡され、その両端部が各側面部にカシメ等の固着手段によって連結されている。
【０００５】
このカセットホルダは、ホルダ支持機構によって上下方向へ平行移動可能に支持されている。ホルダ支持機構は、左右一対のリンク部材の組み合わせからなり、各リンク部材は、２本のリンクを交差させると共にその交差部を回動自在に連結することによってＸ字状に形成されている。一対のリンク部材の一方のリンクの下部はメカデッキシャーシに回動自在に支持され、上部はカセットホルダに摺動可能に支持されている。また、他方のリンクの下部はメカデッキシャーシに摺動可能に支持されていて、その上部はカセットホルダに回動自在に連結されている。即ち、カセットホルダは、ホルダ支持機構によって４箇所で支持されている。
【０００６】
また、カセットホルダの左右側面部にはロッド支持片が設けられており、その外側には左右のリンク部材の一方のリンクの上端部がそれぞれ配置されている。これら左右のロッド支持片及びリンク間には、補強用ロッドが掛け渡されている。補強用ロッドの両端の軸部は、それぞれロッド支持片及びリンクを貫通しており、その軸部の先端をカシメ加工することによって３つの部材が連結されている。この補強用ロッドを設けることにより、カセットホルダの強度を高めて変形等を防止すると共に、ホルダ支持機構の剛性を高めてリンク部材の倒れ等を防止するようにしている。
【０００７】
しかしながら、特許文献１に記載されたカセット装着装置においては、カセットホルダの左右のロッド支持片間に補強用ロッドを掛け渡し、この補強用ロッドを用いてカセットホルダの強度やホルダ支持機構の剛性等を高める構成となっていた。この補強用ロッドには丸棒からなる中実軸が使用されており、それ自体がある程度の重量を有するものであった。そのため、カセットホルダの重量が重くなっているばかりでなく、カセットホルダの厚みが厚くなっており、カセット装着装置全体として軽量化、小型化を図ることが困難であった。
【０００８】
このようなカセット装着装置において、その軽量化、小型化等を図るためには、例えば、補強用ロッドを丸棒から板に変更すると共に、その板の厚みをカセットホルダの板厚と同程度に設定することが考えられる。しかしながら、単純に丸棒から板材に変更するのみでは、丸棒よりも板材の方の強度や剛性が低いため、左右のロッド支持片間を補強するという目的を達成することができなくなるという問題点があった。
【特許文献１】特開２０００−２７６８１５号公報（段落［００４２］〜［００４７］、図１、図２）
【発明の開示】
【発明が解決しようとする課題】
【０００９】
解決しようとする問題点は、従来のカセット装着装置においては、カセットホルダを補強する補強用ロッドが丸棒からなる中実軸によって形成されており、その補強用ロッド自体がある程度の重量を有するために、カセットホルダの重量が重くなっており、また、厚みも厚くなっていたことから、カセット装着装置全体として軽量化、小型化を図ることが困難である。そこで、丸棒の換わりに板材を用いて軽量化、小型化を図ることが考えられるが、断面積が互いに等しい丸棒と板材の場合には、板材の方が強度や剛性の点で劣ることになるという点である。
【課題を解決するための手段】
【００１０】
本出願のカセット装着装置は、情報記録媒体が収納された情報記録カセットが着脱可能に装着されるカセットホルダと、そのカセットホルダの情報記録カセットが出し入れされるカセット出入口の両側に配置される一対のリンク部材を有し、その一対のリンク部材でカセットホルダを両側から移動可能に支持するホルダ支持機構と、カセットホルダに設けられ、情報記録カセットの装着時にその情報記録カセットの蓋体を開放して収納されている情報記録媒体の一部を露出させる蓋開放手段と、を備えたカセット装着装置において、ホルダ支持機構には、情報記録カセットの上面に対向するように配置されて一対のリンク部材間を連結する板体からなる連結部材を設け、その連結部材には、蓋開放手段に対向する部分を含み且つ情報記録カセットが出し入れされる方向の奥側部分を情報記録カセット側に折り曲げることによって曲げ補強部を設け、情報記録カセットを異常な姿勢で挿入した場合に、その情報記録カセットが蓋開放手段と接触したときに曲げ補強部にも接触して情報記録カセットの挿入を阻止するようにしたことを最も主要な特徴とする。
【００１１】
本出願のカセット装着装置は、一対のリンク部材は、２本のリンクを交差させてその交差部を回動自在に連結したリンク連結体の２組からなり、その２組のリンク連結体のそれぞれ一方のリンクと連結部材とを、１つの細長い板材をコ字状に折り曲げることによって一体に形成したことを特徴とする。
【００１２】
本出願のカセット装着装置は、連結部材は、情報記録カセットをカセットホルダに装着したときに、その情報記録カセットの最も高い部分よりも低い位置に配置されるようにしたことを特徴とする。
【００１３】
本出願のカセット装着装置は、一対のリンク部材のうち、少なくとも一方のリンク部材の一方のリンクにはフック部を設け、情報記録カセットに収納された情報記録媒体に対して情報信号の記録及び/又は再生が行われる所定位置にカセットホルダが移動したときにフック部が係合されるフック受部をシャーシ又はそのシャーシに固定されたシャーシ側部材に設けたことを特徴とする。
【００１４】
また、本出願の情報記録及び／又は再生装置は、情報記録媒体が収納された情報記録カセットが着脱可能に装着される第１の位置と、情報記録カセットに収納された情報記録媒体に対して情報信号の記録及び/又は再生が行われる第２の位置との間に情報記録カセットを移動させるカセット装着装置を備えた情報記録及び／又は再生装置において、カセット装着装置は、情報記録カセットが着脱可能に装着されるカセットホルダと、そのカセットホルダの情報記録カセットが出し入れされるカセット出入口の両側に配置される一対のリンク部材を有し、その一対のリンク部材でカセットホルダを両側から移動可能に支持するホルダ支持機構と、カセットホルダに設けられ、情報記録カセットの装着時にその情報記録カセットの蓋体を開放して収納されている情報記録媒体の一部を露出させる蓋開放手段と、を具え、ホルダ支持機構には、情報記録カセットの上面に対向するように配置されて一対のリンク部材間を連結する板体からなる連結部材を設け、その連結部材には、蓋開放手段に対向する部分を含み且つ情報記録カセットが出し入れされる方向の奥側部分を情報記録カセット側に折り曲げることによって曲げ補強部を設け、情報記録カセットを異常な姿勢で挿入した場合に、その情報記録カセットが蓋開放手段と接触したときに曲げ補強部にも接触して情報記録カセットの挿入を阻止するようにしたことを特徴とする。
【発明の効果】
【００１５】
本出願のカセット装着装置によれば、カセットホルダを移動可能に支持するホルダ支持機構の一対のリンク部材における一方のリンク間を、細長い板体からなる連結部材によって連結すると共に、その連結部材における情報記録カセットの出し入れ方向の奥側部分を情報記録カセット側に折り曲げることによって曲げ補強部を設ける構成としたため、連結部材自体が持つ強度によって装置全体の強度・剛性を高めることができ、従来のように別部材で形成された丸棒からなる補強部材を設けて強度の向上を図る必要がないから、装置全体の軽量化及び小型化を実現することができる。
【００１６】
しかも、情報記録カセットを異常な姿勢（上下を逆にして挿入する場合、カセット蓋体とは反対の背面側から挿入する場合等）で挿入する場合には、情報記録カセットが蓋開放手段に接触すると共に曲げ補強部にも接触してそれ以上の挿入が阻止されるため、情報記録カセットが正常でない状態で挿入されるのを防止することができ、情報記録カセットが誤挿入されることによって詰まり現象を生じる等の不具合の発生を防止することができる。
【００１７】
本出願のカセット装着装置によれば、交差した２本のリンクの交差部を回動自在に連結することにより形成される２組のリンク連結体のうち、それぞれの一方のリンクと連結部材との３者を１つ細長い板材で形成し、その細長い板材を長手方向にコ字状に折り曲げることによって２本の一方のリンクと連結部材とを一体に構成するようにしたため、従来の装置と同程度の強度・剛性を保持しつつ重量の大きな従来の補強用ロッドを廃止して軽量化を図ることができ、装置全体の小型化にも貢献することができる。
【００１８】
本出願のカセット装着装置によれば、カセットホルダに情報記録カセットを装着して所定位置にセットした状態では、情報記録カセットの最も高い位置よりも連結部材の位置が低くなるため、セット時における装置全体の高さが低く、装置全体の小型化を図ることができる。
【００１９】
本出願のカセット装着装置によれば、情報信号の記録や再生が行われる所定位置にカセットホルダが移動したときに、一方のリンクに設けたフック部がシャーシ又はシャーシ側部材に設けたフック受部に係合されるため、何らかの外力が加わった場合にも、フック受部によってフック部を係合保持することにより、カセットホルダの移動を制限して所定位置から移動するのを効果的に防止することができる。
【００２０】
また、本出願の情報記録及び／又は再生装置によれば、カセットホルダに装着された情報記録カセットを第１の位置と第２の位置との間に移動させるカセット装着装置を備えた情報記録及び／又は再生装置において、カセットホルダを両側から移動可能に支持するホルダ支持機構の一対のリンク部材における一方のリンク間を、板体からなる連結部材によって連結すると共に、その連結部材における情報記録カセットの出し入れ方向の奥側部分を情報記録カセット側に折り曲げることによって曲げ補強部を設ける構成としたため、連結部材自体が持つ強度によってカセット装着装置の強度・剛性を高めることができ、従来のように別部材の丸棒からなる補強部材を設けて強度の向上を図る必要がないから、軽量化及び小型化されたカセット装着装置を用いて軽量で小型の情報記録及び／又は再生装置を提供することができる。
【００２１】
しかも、情報記録カセットを異常な姿勢（上下を逆にして挿入する場合、カセット蓋体とは反対の背面側から挿入する場合等）で挿入する場合には、情報記録カセットが蓋開放手段に接触すると共に曲げ補強部にも接触してそれ以上の挿入が阻止されるため、情報記録カセットが正常でない状態で挿入されるのを防止することができ、情報記録カセットが誤挿入されることによって詰まり現象を生じる等の不具合の発生を防止できる情報記録及び／又は再生装置を提供することができる。
【発明を実施するための最良の形態】
【００２２】
ホルダ支持機構に、情報記録カセットの上面と蓋開放部材とに対向するように配置されると共に一対のリンク部材間を連結する板体からなる連結部材を設け、その連結部材には、情報記録カセットが出し入れされる方向の奥側部分を内側に折り曲げることによって曲げ補強部を設け、情報記録カセットを異常な姿勢で挿入した場合に、その情報記録カセットが蓋開放手段と接触したときに曲げ補強部にも接触して情報記録カセットの挿入を阻止することにより、十分な強度や剛性を有しながら軽量化及び小型化を図ることができるカセット装着装置及び情報記録及び／又は再生装置を、簡単な構造によって実現した。
【実施例１】
【００２３】
図１〜図１８は、本発明のカセット装着装置及び情報記録及び／又は再生装置の実施の形態の例を示すものである。即ち、図１は本発明のカセット装着装置を備えた情報記録及び／又は再生装置を示すもので、カセットホルダが上部位置（カセコンアップ位置）にある状態を正面側から見た斜視図、図２は同じく背面側から見た斜視図、図３は同じく側面図、図４は図１のカセットホルダに情報記録カセットを装着した状態を正面側から見た斜視図、図５は同じく背面側から見た斜視図、図６は図４の要部を示す左側面図、図７は同じく右側面図、図８は図３の状態からカセットホルダを少し押し下げた側面図である。
【００２４】
また、図９はカセットホルダが下部位置（カセコンダウン位置）に移動した状態を正面側から見た斜視図、図１０は同じく背面側から見た斜視図、図１１は図１０の状態から可動シャーシを回転ドラム側に少し移動した状態を背面側から見た斜視図、図１２は可動シャーシがテープローディング位置まで移動した状態を正面側から見た斜視図、図１３は同じく背面側から見た斜視図、図１４は同じく右側面図、図１５は同じく左側面図、図１６は同じく背面側から見た斜視図、図１７は情報記録カセットの誤挿入状態を示す説明図、図１８はリンク連結体の一実施例を示す斜視図、図１９は情報記録カセットの一例を示す斜視図である。
【００２５】
まず、本発明のカセット装着装置及び情報記録及び／又は再生装置に使用される情報記録カセットについて説明する。図１９は、本発明に使用される情報記録カセットの一具体例を示すもので、情報記録媒体として磁気テープを使用したテープカセット１００の図である。このテープカセット１００は、磁気テープが回転自在に収納されたカセット筐体１０１と、このカセット筐体１０１の開口部を開閉可能とされたカセット蓋体１０２とから構成されている。
【００２６】
カセット筐体１０１は、上下に重ね合わされる略長方形をなす上ケース１０４と下ケース１０５とからなり、下ケース１０５には長手方向に所定の間隔をあけて２つのハブ穴が設けられている。これらのハブ穴には、互いに対をなす供給側リール１０６及び巻取り側リール１０７のハブ部がそれぞれ回転自在に嵌合されている。この供給側リール１０６の巻芯部に磁気テープの一端が固定され、その大部分が巻芯部に巻き取られて、その他端が巻取り側リール１０７の巻芯部に巻き取られている。これら一対の供給側リール１０６及び巻取り側リール１０７が、カセット筐体１０１内に回転可能な状態で収納されている。
【００２７】
カセット筐体１０１の前部には、カセットデッキのローディング機構のガイドピン等が入り込むローディング用開口部１０８と、その開口部１０８の両外側に開口された一対のテープ通し穴とが設けられている。供給側リール１０６から引き出された磁気テープは、一方のテープ通し穴からカセット筐体１０１外に導き出され、開口部１０８を通過して他方のテープ通し穴からカセット筐体１０１内に入り込み、巻取り側リール１０７に巻き取られている。このカセット筐体１０１の前部が、カセット蓋体１０２によって開閉可能とされている。
【００２８】
カセット蓋体１０２は、３枚のリッド部材によって構成されている。３枚のリッド部材は、開口部１０８に引き出された磁気テープの正面を覆うフロントリッド１１１と、その磁気テープの上面を覆うトップリッド１１２と、磁気テープの背面を覆う図に表れないバックリッドとからなっている。フロントリッド１１１はカセット蓋体１０２に回動可能に支持されており、このフロントリッド１１１にトップリッド１１２の一端とバックリッドの一端がそれぞれ回動可能に連結されている。そして、トップリッド１１２の他端は上ケース１０４に摺動可能に支持され、バックリッドの他端は下ケース１０５に摺動可能に支持されている。
【００２９】
更に、フロントリッド１１１の両側部には、カセットホルダに挿入する際のガイドをなすガイド凸片が挿通されるガイド穴１１３，１１３が開口されている。そして、一方のガイド穴１１３の奥には、フロントリッド１１１を閉じ位置に保持するロックレバー１１４が配置されている。このロックレバー１１４を一方のガイド凸片で押圧して後退動作させることにより、ロックレバー１１４によるカセット蓋体１０２のロックが解除されてフロントリッド１１１の開放動作が可能となる。
【００３０】
図１〜図１７に示すように、本実施例に係るカセット装着装置２は、テープカセット１００が着脱可能に装着されるカセットホルダ３と、そのカセットホルダ３の両側を移動可能に支持する一対のリンク部材を有するホルダ支持機構４と、そのホルダ支持機構４を姿勢変更可能に支持する可動シャーシ５等を備えて構成されている。また、本実施例に係る情報記録及び／又は再生装置の一具体例を示すテープ記録再生装置１は、カセットホルダ３、ホルダ支持機構４及び可動シャーシ５と、その可動シャーシ５を移動可能に支持する固定シャーシ６と、磁気ヘッドが設けられた回転ヘッドドラム７等を備えて構成されている。
【００３１】
図１〜図３等に示すように、カセットホルダ３は、テープカセット１００を４つの面部で囲うことができる四角形の筐体によって構成されている。即ち、カセットホルダ３は、挿入されたテープカセット１００の上面に対向される上面部３ａと、そのテープカセット１００の下面を支える下面部３ｂと、上面部３ａの左右両側に連続してテープカセット１００の左右側面にそれぞれ対向される左側面部３ｃ及び右側面部３ｄとを有している。これらの４面と直交する方向に開口される２つの開口部のうち、一方の開口部が、テープカセット１００が出し入れされるカセット出入口１１とされていて、他方の開口部が、回転ヘッドドラム７に対向されている。
【００３２】
カセットホルダ３の上面部３ａには、軽量化を図るために比重の軽いエンジニアリングプラスチックによって形成された化粧板１２が固定ねじ等の固着手段によって固定されている。この化粧板１２は、上面部３ａの強度を高める補強材としての役割りの他、見た目を美しくして見映えを良くする等の役割も有している。下面部３ｂは、テープカセット１００の下面を支えるものであるため、テープカセット１００の３辺を支えることができるコ字状をなす枠体として形成されている。
【００３３】
カセットホルダ３の下面部３ｂの両側部には、テープカセット１００の両側部に設けたガイド穴１１３，１１３に出し入れされるストッパ片１３Ａ，１３Ｂが設けられている。一対のストッパ片１３Ａ，１３Ｂは、カセットホルダ３に挿入されるテープカセット１００のガイドをなすものであるが、一方のストッパ片１３Ａは、テープカセット１００のロックレバー１１４を動作させて蓋体のロックを解除する役割も兼ねている。また、カセットホルダ３の左右の側面部３ｃ，３ｄは、テープカセット１００の厚みと同程度の高さを有する板体からなり、これら側面部３ｃ，３ｄの外側に、リンク部材の一具体例を示すリンク連結体１４Ａ，１４Ｂがそれぞれ配置されている。
【００３４】
図４〜図１７に示すように、各リンク連結体１４Ａ，１４Ｂは、第１のリンク１５（１５Ａ，１５Ｂ）と第２のリンク１６（１６Ａ，１６Ｂ）を交差させると共に、その交差部に回動軸部１７Ａ，１７Ｂを設けることによって互いに回動自在に連結されている。回動軸部１７Ａ，１７Ｂとしては、例えば、一方のリンクに円筒状の凸部を設けると共に、他方のリンクに貫通穴を設け、その貫通穴に円筒状凸部を貫通させた後、その先端部をカシメ加工することによって形成することができる。第１のリンク連結体１４Ａはカセットホルダ３の左側面部３ｃの外側に配置され、第２のリンク連結体１４Ｂはカセットホルダ３の右側面部３ｄの外側に配置されている。
【００３５】
各リンク連結体１４Ａ，１４Ｂの第１のリンク１５Ａ，１５Ｂの上部は、カセットホルダ３の各側面部３ｃ，３ｄの上部略中央部に回動軸１８Ａ，１８Ｂによって回動自在に支持されている。更に、２組のリンク連結体１４Ａ，１４Ｂの第１のリンク１５Ａ，１５Ｂは、連結部材の一具体例を示す連結部１９により連結されて一体に形成されている。即ち、図１８等に示すように、２つの第１のリンク１５Ａ，１５Ｂと連結部１９とは、１枚の細長い板体を、その長手方向の２箇所でそれぞれ同方向へ９０°折り曲げることによって形成されており、両端の折り曲げ部が第１のリンク１５Ａ，１５Ｂとされ、中央部が連結部１９とされている。
【００３６】
更に、連結部１９の、カセット出入口１１と反対側の縁には、その全範囲に亘って幅方向の一部を内側、即ち、カセットホルダ３に挿入されたテープカセット１００の上面と対向する側に折り曲げることによって曲げ補強部２０が一体に設けられている。この曲げ補強部２０は、ある程度の幅を１８０°折り曲げることによって形成し、その先端縁に指先等が引っ掛かることがないようにする。この曲げ補強部２０は、一対のリンク連結体１４Ａ，１４Ｂの強度を増加させ、カセットホルダ３に加えられる外力に対して十分に大きな応力が発揮されるようにするものである。
【００３７】
各リンク連結体１４Ａ，１４Ｂの第１のリンク１５Ａ，１５Ｂの下部には、カセットホルダ３と反対側の外側へ突出するようにガイドピン２１Ａ，２１Ｂがそれぞれ設けられている。各ガイドピン２１Ａ，２１Ｂは、可動シャーシ５に設けたガイド穴２２Ａ，２２Ｂにそれぞれ摺動可能に係合されている。各ガイド穴２２Ａ，２２Ｂは、第１のリンク１５Ａ，１５Ｂの傾きが大きくなるに伴ってその第１のリンク１５Ａ，１５Ｂが徐々に低い方へ移動するようにカセット出入口１１と反対側が先下がりとなるように形成されている。更に、一対の第１のリンク１５Ａ，１５Ｂのうち、一方の第１のリンク１５Ｂ（他方の第１のリンク１５Ａであってもよい。）には、テープカセット１００のフロントリッド１１１を開放動作させるためのリッド操作部２３が設けられている。
【００３８】
一対のリンク連結体１４Ａ，１４Ｂの第２のリンク１６Ａ，１６Ｂの下部は、カセットホルダ３のカセット出入口１１の下方に延在されていて、回動軸部２４Ａ，２４Ｂによってフレーム板２５に回動自在に連結されている。回動軸部２４Ａ，２４Ｂは、前記回動軸部１７Ａ，１７Ｂと同様の構造のものである。フレーム板２５は可動シャーシ５にねじ止めされており、このフレーム板２５を介して第２のリンク１６Ａ，１６Ｂの下部が、可動シャーシ５にそれぞれ回動自在に支持されている。
【００３９】
第２のリンク１６Ａ，１６Ｂの上部には、各リンクが延びる方向に延在されたガイド穴２６Ａ，２６Ｂがそれぞれ設けられている。各ガイド穴２６Ａ，２６Ｂは、上側が凸とされた円弧状の長穴からなり、カセットホルダ３の各側面部３ｃ，３ｄに設けたガイドピン２７Ａ，２７Ｂがそれぞれ摺動可能に係合されている。各ガイドピン２７Ａ，２７Ｂは、カセットホルダ３の各側面部３ｃ，３ｄにおいて、カセット出入口１１と反対側の上部に配置されている。更に、第２のリンク１６Ａ，１６Ｂの上部には、ばね受け片２９Ａ，２９Ｂがそれぞれ設けられている。
【００４０】
一方の第２のリンク１６Ａのばね受け片２９Ａには、引張ばねからなる第１のコイルばね３１の一端が係止されている。また、他方の第２のリンク１６Ｂのばね受け片２９Ｂには、引張ばねからなる第２のコイルばね３２の一端が係止されている。第１のコイルばね３１の他端は、カセットホルダ３の左側面部３ｃに設けたばね受け部３３ａに引っ張り状態で係止されている。また、第２のコイルばね３２の他端は、第２のリンク連結体１４Ｂとカセットホルダ３との間に介在されたロックアーム３４のばね受け部３４ａに引っ張り状態で係止されている。
【００４１】
ロックアーム３４は、カセットホルダ３を下降させて可動シャーシ５内に収納した状態において、その収納状態にカセットホルダ３をロックして保持するものである。このロックアーム３４は、第２のリンク連結体１４Ｂの第１のリンク１５Ａと同様に、回動軸１８Ａによって回動自在に支持されている。このロックアーム３４の下部には、収納状態で可動シャーシ５に係合されるストッパ爪３４ａが設けられている。このロックアーム３４の上部にばね受け部３４ｂが設けられており、第２のコイルばね３２のばね力によってロックアーム３４は、図３において時計方向へ常に付勢されている。
【００４２】
また、第１のリンク連結体１４Ａの第２のリンク１６Ａの上部には、下方に突出するフック部３５が設けられている。フック部３５は、可動シャーシ５が回転ヘッドドラム７に近づいた状態において、突発的に付与される外力によりロックアーム３４のロックが誤って解除されて可動シャーシ５が持ち上げられるのを防止するものである。このフック部３５が係合されるフック受部が、後述するように固定シャーシ６に設けられている。
【００４３】
図２等に示すように、一対のリンク連結体１４Ａ，１４Ｂを介してカセットホルダ３を支持する可動シャーシ５は、底面部５ａと、その底面部５ａの左右方向両側に連続された側面部５ｂ，５ｃとからなっている。可動シャーシ５の底面部５ａには、図示しないが、左右方向に所定の間隔をあけて供給側リールと巻取り側リールとが回転可能に取り付けられている。更に、底面部５ａには、テープカセット１００のローディング用開口部１０８から引き出された磁気テープに所定の張力を付与する一対のテンションローラ等が設けられている。この可動シャーシ５の左右の側面部５ｂ，５ｃに、前記ガイド穴２２Ａ，２２Ｂが設けられている。
【００４４】
可動シャーシ５は、固定シャーシ６上にスライド可能に支持されている。固定シャーシ６は、可動シャーシ５と同程度の大きさを有する板体からなり、その背面側の略中央部に回転ヘッドドラム７が取り付けられている。回転ヘッドドラム７は、固定シャーシ６に固定される固定部と、その固定部に回転自在に支持された回転部とを有し、その回転部に磁気ヘッドが取り付けられている。この回転ヘッドドラム７は、その回転中心線を少々傾けた設置されている。更に、固定シャーシ６には、テープカセット１００のローディング用開口部１０８から磁気テープを引き出して回転ヘッドドラム７の周面に巻き付ける２組のテープ引出しガイドが設けられている。
【００４５】
２組のテープ引出しガイドは、回転ヘッドドラム７の前部から側部にかけてスライド可能とされた２つのスライダに複数搭載されており、図示しないテープローディング機構によって進退移動可能に構成されている。テープローディング機構は、図１等に示す駆動モータ４０と、この駆動モータ４０によって回転駆動される複数枚のギアの組み合わせからなるギア列と、このギア列に伝達された力を２つのスライダに伝達するリンク機構等を備えて構成されている。駆動モータ４０は、図１等に示すように、固定シャーシ６に固定されたモータホルダ４１に固定されている。
【００４６】
モータホルダ４１には、可動シャーシ５側に突出するフック受部４２が設けられている。このフック受部４２は、第１のリンク連結体１４Ａの第２のリンク１６Ａに設けたフック部３５を係止し、カセットホルダ３をロック状態に保持するものである。駆動モータ４０の回転力がテープローディング機構を介して２組のテープ引出しガイドに伝達されることにより、磁気テープをテープカセットから引き出して回転ヘッドドラム７に巻き付けるテープローディングと、その巻き付けを解除することにより磁気テープがテープカセット内に戻されるアンローディングとが実行される。
【００４７】
次に、前記構成を有するカセット装着装置２及びテープ記録再生装置１の作用について説明する。図１〜図３は、ホルダ支持機構４によって支持されたカセットホルダ３が、最も高く持ち上げられたカセコンアップ位置にある状態を示している。このとき、カセットホルダ３のカセット出入口１１は、可動シャーシ５の上端縁より上方に突出しており、テープカセット１００を挿入できる状態となっている。この状態から、カセットホルダ３のカセット出入口１１にテープカセット１００を正常な姿勢により、即ち、テープカセット１００の上下方向が正常であって、カセット蓋体であるフロントリッド１１１側から挿入する。そして、図４〜図７に示すように、テープカセット１００を所定の位置まで差し込むことにより、カセットホルダ３に対するテープカセット１００の挿入操作が完了する。
【００４８】
この場合、テープカセット１００をカセットホルダ３に一定距離差し込むと、カセットホルダ３に設けた一対のストッパ片１３Ａ，１３Ｂがテープカセット１００のガイド穴１１３，１１３内に入り込む。そして、テープカセット１００を所定位置まで差し込むと、一方のストッパ片１３Ａがテープカセット１００のロックレバー１１４に当接され、これを後方に後退させる。その結果、ロックレバー１１４によるフロントリッド１１１のロックが解除され、カセット蓋体の開放動作が可能となる。
【００４９】
この場合、図１４に示すように、２組のリンク連結体１４Ａ，１４Ｂを連結する連結部１９及びその曲げ補強部２０は、テープカセット１００の上面よりも上方に位置しており、その曲げ補強部２０がカセット筐体１０１と接触することがない。そのため、テープカセット１００を、カセットホルダ３の所定位置まで十分に挿入することができる。
【００５０】
次に、カセットホルダ３に固定されている化粧板１２に、図４等において上方から下方に向う押圧力を加え、カセットホルダ３を下降させる。このとき、カセットホルダ３を両側から支える２組のリンク連結体１４Ａ，１４Ｂのうち第１のリンク１５Ａ，１５Ｂは、上端の回動軸１８Ａ，１８Ｂがカセットホルダ３の側面部３ｃ，３ｄにそれぞれ回動自在に支持され、その下端のガイドピン２１Ａ，２１Ｂが可動シャーシ５の側面部５ｂ，５ｃに設けたガイド穴２２Ａ，２２Ｂに摺動可能に嵌合されている。また、第２のリンク１６Ａ，１６Ｂでは、上端のガイド穴２６Ａ，２６にはカセットホルダ３の側面部３ｃ，３ｄに設けたガイドピン２７Ａ，２７Ｂがそれぞれ摺動可能に嵌合され、その下端の回動軸部２４Ａ，２４Ｂが可動シャーシ５に固定されたフレーム板２５の側面部に回動自在に支持されている。
【００５１】
そのため、化粧板１２に上方から下方に向う力を加えると、Ｘ字状に交差された２つのリンク１５Ａ，１５Ｂ及び１６Ａ，１６Ｂがその交差部を連結する回動軸部１７Ａ，１７Ｂを中心として互いに重なり合う方向に回動し、２組のガイドピン２１Ａ，２１Ｂ及びガイドピン２７Ａ，２７Ｂが２つのガイド穴２２Ａ，２２Ｂ及びガイド穴２６Ａ，２６Ｂをそれぞれ外側に移動する。この際、カセットホルダ３の左右に配置された２組のリンク連結体１４Ａ，１４Ｂは、互いの第１のリンク１５Ａ，１５Ｂを連結する連結部１９によって一体に構成されているため、２組のリンク連結体１４Ａ，１４Ｂは同じように動作される。その結果、カセットホルダ３は、略平行とされた状態を保持したまま可動シャーシ５に近づく方向に平行移動される。
【００５２】
この場合、カセットホルダ３が所定距離を降下すると、第２のリンク連結体１４Ｂの第１のリンク１５Ｂの下部に設けたリッド操作部２３が下方からフロントリッド１１１に当接し、そのフロントリッド１１１を押し上げる。これにより、カセット蓋体が開放され、テープカセット１００のローディング用開口部１０８が開放されて磁気テープの一部が露出される。このカセット蓋体が開放状態は、図１０、図１１、図１３及び図１６に示すように、磁気テープがローディング状態にある間継続される。
【００５３】
また、カセットホルダ３が可動シャーシ５内に入り込むと、第２のリンク連結体１４Ｂに設けられているロックアーム３４のストッパ爪３４ａが可動シャーシ５の爪受部に係合される。これにより、カセットホルダ３が可動シャーシ５に対してロックされた状態となり、２組のリンク連結体１４Ａ，１４Ｂを上方へ伸ばそうとする第１のコイルばね３１及び第２のコイルばね３２の各ばね力に抗して、カセットホルダ３が可動シャーシ５内に収納した状態が保持される。
【００５４】
次に、駆動モータ４０が駆動されることにより、その回転力がギア列からローディング機構に伝達される。これにより、可動シャーシ５が回転ヘッドドラム７に近づく方向に移動する。このとき、一対のテープ引出しガイドがテープカセット１００のローディング用開口部１０８から磁気テープの一部を引き出し、回転ヘッドドラム７の周面に巻き付ける。この際、可動シャーシ５に支持された一対のテンションローラで磁気テープを押圧することにより、その磁気テープに所定の引っ張り力が付与される。これにより、磁気テープに対する回転ヘッドドラム７による記録再生が可能となり、磁気テープに情報信号を記録したり、予め記録されている情報信号を読み出したりすることができる。
【００５５】
この情報信号の記録再生時には、図１６に示すように、第１のリンク連結体１４Ａの第２のリンク１６Ａに設けたフック部３５が、固定シャーシ６に固定されたモータホルダ４１のフック受部４２に係合される。このフック部３５がフック受部４２に係合することにより、カセットホルダ３のロック状態が保持されるため、例えば、衝撃力が加えられることによってロックアーム３４が可動シャーシ５から外れたとしても、カセットホルダ３のロック状態を保持することができる。即ち、フック部３５をフック受部４２に係合することにより、カセットホルダ３のロック状態を二重に保持することができ、記録再生時における安全性をより向上させることができる。
【００５６】
以上は、カセットホルダ３に対してテープカセット１００が正常な姿勢（状態）で挿入された場合を説明するものであるが、テープカセット１００が異常な姿勢（状態）で挿入されると、記録再生動作を行うことが不可能となるばかりでなく、故障を生ずる原因ともなる。図１７は、テープカセット１００の上下を逆にした異常な姿勢を示すもので、カセットホルダ３にテープカセット１００を挿入したことを説明するものである。
【００５７】
この場合、従来のカセット装着装置では、テープカセット１００が異常な姿勢のままカセットホルダ３の深い位置まで挿入されてしまうが、本願発明の場合には、カセットホルダ３の浅い位置においてテープカセット１００の挿入を阻止することができる。即ち、図１７に示すように、テープカセット１００が上下逆さまの姿勢（状態）でカセットホルダ３に挿入されると、テープカセット１００のトップリッド１１２がカセットホルダ３の左右のストッパ片１３Ａ，１３Ｂに当接される。これと略同時に、テープカセット１００のトップリッド１１２と反対側の面が、２組のリンク連結体１４Ａ，１４Ｂ間を連結する連結部１９に設けた曲げ補強部２０に接触点Ｔにおいて当接される。
【００５８】
これにより、テープカセット１００の挿入側が、左右のストッパ片１３Ａ，１３Ｂと連結部１９の曲げ補強部２０とで挟まれて、それ以上の挿入操作が阻止される。その結果、これ以上のテープカセット１００の挿入動作が防止されるため、異常な姿勢のままテープカセット１００がカセットホルダ３に挿入される異常事態の発生を防止し、テープカセット１００の異常挿入を確実に防ぐことができる。
【００５９】
なお、テープカセット１００を異常な姿勢で挿入する場合としては、前記実施例の他に、テープカセット１００を背面側（カセット蓋体の反対側）から挿入する場合（上下方向が正しい場合と、逆の場合を含む。）や、テープカセット１００を側面から挿入する場合等がある。
【００６０】
以上説明したように、本発明によれば、２組のリンク連結体１４Ａ，１４Ｂの第１のリンク１５Ａ，１５Ｂ間を連結する連結部１９に、その一部を内側へ折り曲げることによって曲げ補強部２０を設け、テープカセット１００に接触する部分に丸みをつけているため、その接触部でテープカセット１００に傷を付けることがない。しかも、その曲げ補強部２０を、カセットホルダ３の左右のストッパ片１３Ａ，１３Ｂに対向させて設ける構成としたため、テープカセット１００が逆さまの状態で挿入されたり、カセット蓋体と反対側から挿入される等の異常な姿勢（状態）で挿入されるのを、曲げ補強部２０とストッパ片１３Ａ，１３Ｂとで阻止し、挿入動作の途中で誤挿入を確実に防止することができる。
【００６１】
また、本願発明によれば、図１５に示すように、カセットホルダ３にテープカセット１００が装着されている状態では、カセット蓋体が開いてトップリッド１１２が後方へ移動しているときには、そのトップリッド１１２の上面が最も高い位置になっており、連結部１９は、蓋の高さの線ＬＳで示すように、トップリッド１１２の上面より低い位置に収納されている。このことは、カセットフォーマットのためにどうしても必要な高さ位置よりも上に出るメカニズム部分が無いことを意味しており、従って、装置全体の高さを可及的に小さなものとすることができる。更に、このような構成としたことにより、カセットホルダ３がカセコンアップ位置からカセコンダウン位置まで移動する際に連結部１９と化粧板１２との間の隙間が徐々に小さくなるが、その隙間は当初から小さいものであるため、その隙間に指を挟むという不具合の発生を確実に防止することができる。
【００６２】
更に、可動シャーシ５がローディング位置まで移動すると、第１のリンク連結体１４Ａのフック部３５が固定シャーシ６に固定されたモータホルダ４１のフック受部４２に係合され、カセットホルダ３がロック状態に保持されるため、何らかの衝撃力が作用してカセットホルダ３に持ち上がろうとする力が働いたときにも、フック受部４２がフック部３５を受け止めてリンク連結体１４Ａ，１４Ｂが伸び上がるのを確実に防ぐことができる。そのため、記録再生時等において、誤ってカセットホルダ３が浮き上がってしまう不具合の発生を防止することができる。
【産業上の利用可能性】
【００６３】
本発明は、前述しかつ図面に示した実施の形態に限定されるものではなく、その要旨を逸脱しない範囲内で種々の変形実施が可能である。例えば、前記実施例では、磁気テープを記録媒体として用いたテープ式撮像装置に適用した例について説明したが、ＤＶＤ−Ｒ（光ディスク）を記録媒体として用いたディスク式撮像装置、光磁気ディスクや磁気ディスク等のディスク状記録媒体を用いた撮像装置にも適用できるものである。また、前記実施例では、情報信号の再生ばかりでなく記録も可能なテープ記録再生装置について説明したが、再生のみが可能なテープ再生装置は勿論のこと、記録のみが可能なテープ記録装置にも適用可能である。
【００６４】
更に、本発明に係るカセット装着装置並びに情報記録及び／又は再生装置が使用される電子機器としては、ビデオカメラ等の撮像装置に限定されるものではなく、この種のカセット装着装置並びに情報記録及び／又は再生装置が用いられるビデオテープレコーダ、パーソナルコンピュータ、カセットプレーヤ、その他各種の電子機器に適用できるものである。
【図面の簡単な説明】
【００６５】
【図１】本発明のカセット装着装置を備えた情報記録及び／又は再生装置の一実施例を示すもので、カセットホルダが上部位置（カセコンアップ位置）にある状態を正面側から見た斜視図である。
【図２】本発明のカセット装着装置を備えた情報記録及び／又は再生装置の一実施例を示すもので、カセットホルダが上部位置（カセコンアップ位置）にある状態を背面側から見た斜視図である。
【図３】本発明のカセット装着装置を備えた情報記録及び／又は再生装置の一実施例を示すもので、カセットホルダが上部位置（カセコンアップ位置）にある状態の側面図である。
【図４】図１のカセットホルダに情報記録カセットを装着した状態を正面側から見た斜視図である。
【図５】図１のカセットホルダに情報記録カセットを装着した状態を背面側から見た斜視図である。
【図６】図１のカセットホルダに情報記録カセットを装着した状態の要部を示す左側面図である。
【図７】図１のカセットホルダに情報記録カセットを装着した状態の要部を示す右側面図である。
【図８】本発明のカセット装着装置を備えた情報記録及び／又は再生装置の一実施例を示すもので、カセットホルダを上部位置（カセコンアップ位置）から少し押し下げた側面図である。
【図９】カセットホルダが下部位置（カセコンダウン位置）に移動した状態を正面側から見た斜視図である。
【図１０】カセットホルダが下部位置（カセコンダウン位置）に移動した状態を背面側から見た斜視図である。
【図１１】図１０の状態から可動シャーシを回転ドラム側に少し移動した状態を背面側から見た斜視図である。
【図１２】可動シャーシがテープローディング位置まで移動した状態を正面側から見た斜視図である。
【図１３】可動シャーシがテープローディング位置まで移動した状態を背面側から見た斜視図である。
【図１４】可動シャーシがテープローディング位置まで移動した状態の右側面図である。
【図１５】可動シャーシがテープローディング位置まで移動した状態の左側面図である。
【図１６】可動シャーシがテープローディング位置まで移動した状態を背面側から見た斜視図である。
【図１７】情報記録カセットを異常な姿勢で挿入した誤挿入状態の一例を示す説明図である。
【図１８】本発明のカセット装着装置のリンク連結体に係る第１のリンクと連結部材を一体に構成した一実施例を示す斜視図である。
【図１９】情報記録カセットの一例を示す斜視図である。
【符号の説明】
【００６６】
１…テープ記録再生装置（情報記録及び／又は再生装置）、  ２…カセット装着装置、  ３…カセットホルダ、  ４…ホルダ支持機構、  ５…可動シャーシ、  ６…固定シャーシ、  ７…回転ヘッドドラム、  １１…カセット出入口、  １２…化粧板、  １３Ａ，１３Ｂ…ストッパ片（蓋開放手段）、  １４Ａ，１４Ｂ…リンク連結体（リンク部材）、  １５，１５Ａ，１５Ｂ…第１のリンク、  １６，１６Ａ，１６Ｂ…第２のリンク、  １７Ａ，１７Ｂ，２４Ａ，２４Ｂ…回動軸部、  １８Ａ，１８Ｂ…回動軸、  １９…連結部（連結部材）、  ２０…曲げ補強部、  ２１Ａ，２１Ｂ，２７Ａ，２７Ｂ…ガイドピン、  ２２Ａ，２２Ｂ，２６Ａ，２６Ｂ…ガイド穴、  ２５…フレーム板、  ３１…第１のコイルばね、  ３２…第２のコイルばね、  ３４…ロックアーム、  ３５…フック部、  ４０…駆動モータ、  ４１…モータホルダ、  ４２…フック部
【図１】
2006185502.tif 000003
【図２】
2006185502.tif 000004
【図３】
2006185502.tif 000005
【図４】
2006185502.tif 000006
【図５】
2006185502.tif 000007
【図６】
2006185502.tif 000008
【図７】
2006185502.tif 000009
【図８】
2006185502.tif 000010
【図９】
2006185502.tif 000011
【図１０】
2006185502.tif 000012
【図１１】
2006185502.tif 000013
【図１２】
2006185502.tif 000014
【図１３】
2006185502.tif 000015
【図１４】
2006185502.tif 000016
【図１５】
2006185502.tif 000017
【図１６】
2006185502.tif 000018
【図１７】
2006185502.tif 000019
【図１８】
2006185502.tif 000020
【図１９】
2006185502.tif 000021